(57)【特許請求の範囲】
【請求項１】
第１ケースと第２ケースとを上下に組み合わせて構成し、制御基板を収容する空間である収容部を内部に有する遊技機用制御基板ケースであって、
上記第１ケースと上記第２ケースとに、
上記収容部の外部に突出するとともに、接着して組み付け状態を保持する接着保持部を構成する接着構成部をそれぞれに備え、
上記接着構成部の一方に、組み付け方向のうち上方が開口する凹状で、接着剤を貯留可能な接着剤貯留部を形成し、
上記接着構成部の他方に、凹状の上記接着剤貯留部に対して、上方から挿入可能な挿入接着部を形成し、
上記接着剤貯留部と上記挿入接着部における、上記組み付け方向に交差する方向で対向する対向部分の少なくとも一方に、硬化前の上記接着剤を上方に案内する接着剤案内溝を備え、
上記挿入接着部は、そのほぼ全ての部位が上記接着剤貯留部に進入可能に形成されているとともに、上記接着剤案内溝は、上記挿入接着部の上記組み付け方向に貫通して形成されていることを特徴とする
遊技機用制御基板ケース。
【請求項２】
上記挿入接着部は、その上面が、上記接着剤案内溝側に向かって下がるように傾斜していることを特徴とする
請求項１に記載の遊技機用制御基板ケース。
【請求項３】
第１ケースと第２ケースとを上下に組み合わせて構成し、制御基板を収容する空間である収容部を内部に有する遊技機用制御基板ケースであって、
上記第１ケースと上記第２ケースとに、
上記収容部の外部に突出するとともに、接着して組み付け状態を保持する接着保持部を構成する接着構成部をそれぞれに備え、
上記接着構成部の一方に、組み付け方向のうち上方が開口する凹状で、接着剤を貯留可能な接着剤貯留部を形成し、
上記接着構成部の他方に、凹状の上記接着剤貯留部に対して、上方から挿入可能な挿入接着部を形成し、
上記接着剤貯留部と上記挿入接着部における、上記組み付け方向に交差する方向で対向する対向部分の少なくとも一方に、硬化前の上記接着剤を上方へ分岐させて夫々の内部に上記接着剤を通すようにして上方に案内する接着剤案内溝を複数形成していることを特徴とする
遊技機用制御基板ケース。
【請求項４】
上記接着剤案内溝は、ほぼ等間隔で複数形成されていることを特徴とする
請求項３に記載の遊技機用制御基板ケース。
【請求項５】
上記接着剤案内溝は、その幅が上記外部に向かって漸次拡大するように形成されていることを特徴とする
請求項１〜４のいずれか一つに記載の遊技機用制御基板ケース。
【請求項６】
上記請求項１〜５のいずれか一つに記載の遊技機用制御基板ケースを備えた
遊技機。
【発明の詳細な説明】
【技術分野】
【０００１】
この発明は、例えば、内部の収容部に制御基板を保持する遊技機用制御基板ケースと、該遊技機用制御基板ケースを備えた遊技機に関する。
【背景技術】
【０００２】
例えば、スロットマシンなどの遊技機は、その制御に供するＲＯＭなどが配された制御基板をケースの内部に収容して、遊技機の内部に配設することが一般的である。  
このような制御基板を収容するケース（以下、遊技機用制御基板ケースと称する。）は、正規の制御基板と不正な制御基板とを取り換えたりすることなどの不正行為を防止するために、高い封止力が求められる。このような高い封止力を備えた遊技機用制御基板ケースとして、例えば、特許文献１に記載の基板ケースが提案されている。
【０００３】
特許文献１に記載の基板ケース（遊技機用制御基板ケース）は、それぞれ透明な合成樹脂によって形成されたベース部材とカバー部材（第１ケースと第２ケース）とを組み合わせて構成した略直方体の形状であり、内部に基板（制御基板）を収納可能な空間を有している。
【０００４】
また、この基板ケースは、ベース部材の対向する長辺に、長辺側の外周縁から外方に突出する平面視長方形状の板状の第１フランジを備え、カバー部材における、ベース部材の第１フランジと対応する位置に、第２フランジを備えている。
【０００５】
そして、これらベース部材とカバー部材とは、互いに組み付けた状態で、第１フランジと第２フランジとをねじ止めするとともに、第１フランジと第２フランジとの隙間に接着剤を流し込んで強固に固定できるとされている。
【０００６】
上記特許文献１に記載の基板ケースにおける第１フランジおよび第２フランジは、第１フランジと第２フランジとをねじ止めする必要があるため、部品点数の削減や、組み付け工程の簡略化の点では望ましくない。
【０００７】
一方で、ねじを用いない場合にあっては、上記特許文献１に記載の基板ケースにおける第１フランジおよび第２フランジは、ベース部材とカバー部材とが対向する対向方向における面同士のみの接着となる。
【０００８】
つまり、第１フランジおよび第２フランジは一方向のみの接着となるため、第１フランジと第２フランジとが所望の接着強度を確保できなかったり、多方向からの外力に対する耐力を得ることができなかったりして、第１フランジと第２フランジとの接着状態を保持することができず、不正防止の観点から改善の余地を残すこととなる。
【先行技術文献】
【特許文献】
【０００９】
【特許文献１】特開２００６−０８７８０６号公報
【発明の概要】
【発明が解決しようとする課題】
【００１０】
本発明は、上記課題を鑑みて案出されたものであって、第１ケースと第２ケースとを強固に接着し、不正防止効果を向上させることのできる遊技機用制御基板ケースを提供することを目的とする。
【課題を解決するための手段】
【００１１】
請求項１に記載の発明は、第１ケースと第２ケースとを上下に組み合わせて構成し、制御基板を収容する空間である収容部を内部に有する遊技機用制御基板ケースであることを前提としている。その上で、上記第１ケースと上記第２ケースとに、上記収容部の外部に突出するとともに、接着して組み付け状態を保持する接着保持部を構成する接着構成部をそれぞれに備え、上記接着構成部の一方に、組み付け方向のうち上方が開口する凹状で、接着剤を貯留可能な接着剤貯留部を形成し、上記接着構成部の他方に、凹状の上記接着剤貯留部に対して、上方から挿入可能な挿入接着部を形成し、上記接着剤貯留部と上記挿入接着部における、上記組み付け方向に交差する方向で対向する対向部分の少なくとも一方に、硬化前の上記接着剤を上方に案内する接着剤案内溝を備え、上記挿入接着部は、そのほぼ全ての部位が上記接着剤貯留部に進入可能に形成されているとともに、上記接着剤案内溝は、上記挿入接着部の上記組み付け方向に貫通して形成されたことを特徴としている。
【００１２】
したがって、少なくとも請求項１に記載の発明によれば、第１ケースと第２ケースとの組み付け時には、挿入接着部は、接着剤貯留部と、組み付け方向および組み付け方向に交差する方向の２つの方向で重なり合い、この組み付け方向に交差する方向で重なり合った部位の上方に向けて、接着剤案内溝が接着剤を案内する。  
これにより、接着剤が円滑に上方へ案内され、挿入接着部は、２つの方向で接着剤貯留部と強固に接着されることとなる。
【００１３】
また、上記挿入接着部は、そのほぼ全ての部位が上記接着剤貯留部に進入可能に形成されているとともに、上記接着剤案内溝を、上記挿入接着部の上記組み付け方向に貫通させて形成されているので、上記接着剤を、上記挿入接着部の上面側に到達させて、硬化可能にすることができる。
【００１４】
この場合において、上記接着剤が比較的少量であっても、上記挿入接着部の上面側の上記接着剤案内溝側に溜まり易くするためには、請求項２に記載のように、上記挿入接着部を、その上面が、上記接着剤案内溝側に向かって下がるように傾斜させることが望ましい。
【００１５】
また、請求項３に記載の発明は、第１ケースと第２ケースとを上下に組み合わせて構成し、制御基板を収容する空間である収容部を内部に有する遊技機用制御基板ケースであることを前提としている。その上で、上記第１ケースと上記第２ケースとに、上記収容部の外部に突出するとともに、接着して組み付け状態を保持する接着保持部を構成する接着構成部をそれぞれに備え、上記接着構成部の一方に、組み付け方向のうち上方が開口する凹状で、接着剤を貯留可能な接着剤貯留部を形成し、上記接着構成部の他方に、凹状の上記接着剤貯留部に対して、上方から挿入可能な挿入接着部を形成し、上記接着剤貯留部と上記挿入接着部における、上記組み付け方向に交差する方向で対向する対向部分の少なくとも一方に、硬化前の上記接着剤を上方へ分岐させて夫々の内部に上記接着剤を通すようにして上方に案内する接着剤案内溝を複数形成していることを特徴としている。  
したがって、第１ケースと第２ケースとの組み付け時には、挿入接着部は、接着剤貯留部と、組み付け方向および組み付け方向に交差する方向の２つの方向で重なり合い、この組み付け方向に交差する方向で重なり合った部位の上方に向けて、接着剤案内溝が接着剤を複数に上方へ分岐させて夫々の内部に上記接着剤を通すようにして案内する。  
これにより、接着剤が円滑に上方へ案内され、挿入接着部は、２つの方向で接着剤貯留部と強固に接着されることとなる。
【００１６】
また、請求項４に記載のように、上記接着剤案内溝は、ほぼ等間隔で複数形成されていることが望ましい。
【００１７】
さらにまた、接着剤案内溝を、上方への接着剤案内効果に加えて、横方向への案内効果も発揮可能にさせるには、請求項５に記載のように、上記接着剤案内溝を、その幅が上記外部に向かって漸次拡大するように形成することが望ましい。
【発明の効果】
【００１８】
請求項１に記載の発明によれば、挿入接着部を、２つの方向で接着剤貯留部と強固に接着できるため、不正防止効果を向上させることができる。
【００１９】
また、接着剤を、挿入接着部の上面側に到達させて、硬化可能にするため、上方が開口した接着剤貯留部を、ほぼ完全に接着剤で閉塞させることが可能となり、不正防止効果をさらに向上させることができる。
【００２０】
請求項２に記載の発明によれば、接着剤が比較的少量であっても、その接着剤が、挿入接着部の上面側の接着剤案内溝側に溜まり易くなり、この接着剤案内溝側に溜まった接着剤が硬化することで接着剤案内溝を保護でき、不正防止効果をさらに向上させることができる。
【００２１】
請求項３に記載の発明によれば、挿入接着部を、２つの方向で接着剤貯留部と強固に接着できるため、不正防止効果を向上させることができるとともに、接着剤を複数に上方へ分岐させて夫々の内部に上記接着剤を通すようにして上方に案内可能になるため、挿入接着部と接着剤貯留部をより強固に接着でき、不正防止効果をさらに向上させることができる。
【００２２】
請求項４に記載の発明によれば、接着剤案内溝は、ほぼ等間隔で複数形成することにより、接着剤をほぼ均等な間隔で上方に案内することができる。
【００２３】
請求項５に記載の発明によれば、接着剤案内溝が、上方への接着剤案内効果に加えて、横方向への案内効果も発揮可能になるため、挿入接着部と接着剤貯留部をより強固に接着でき、不正防止効果をさらに向上させることができる。
【図面の簡単な説明】
【００２４】
【図１】スロットマシンを示す正面図である。
【図２】スロットマシンの前扉を開放した状態の斜視図である。
【図３】図２に示すサブ制御ユニット単体での斜視図である。
【図４】図３に示すサブ制御ユニットの分解図である。
【図５】図２に示す要部αの拡大図であって、接着フランジ部の平面図である。
【図６】図５に示す接着フランジ部の端面図であって、（ａ）は図５のＡ−Ａ線に沿った図、（ｂ）は図５のＢ−Ｂ線に沿った図、（ｃ）は図５のＣ−Ｃ線に沿った図である。
【図７】図４に示す要部βの拡大図であって、ベースフランジの斜視図である。
【図８】図４に示す要部θの拡大図であって、カバーフランジの斜視図である。
【図９】図５に示す接着フランジ部の接着工程を示す断面図であって、接着剤を貯留した状態のベースフランジにカバーフランジが近づいていく図である。
【図１０】図９のカバーフランジがベースフランジに着座する直前の状態を示す図である。
【図１１】図１０のカバーフランジおよびベースフランジの端面図であって、（ａ）は図１０のＡ−Ａ線に沿った図、（ｂ）は図１０のＢ−Ｂ線に沿った図、（ｃ）は図１０のＣ−Ｃ線に沿った図である。
【図１２】図９のカバーフランジがベースフランジに着座した状態を示す断面図であって、図５のＤ−Ｄ線に沿った断面図である。
【発明を実施するための形態】
【００２５】
この発明の一実施形態を、以下図面を用いて説明する。  
まず、スロットマシン１（遊技機に対応）の構成について、図１および図２を用いて説明する。  
図１は、スロットマシン１の正面図を示し、図２は、スロットマシン１の前扉２０を開放した状態の斜視図を示している。
【００２６】
スロットマシン１は、図１に示すように、正面視略長方形の箱状体であって、図２に示すように、利用者と対面する面が開口した筐体本体１０と、該筐体本体１０の開口する面を開閉自在に塞ぐ前扉２０とから構成されている。
【００２７】
筐体本体１０の内部には、詳細な図示を省略するが、メイン制御ユニット１１、サブ制御ユニット１２、リールユニット１３、メダル払出装置１４、および電源制御装置１５などが備えられている。
【００２８】
メイン制御ユニット１１は、各種機器と電気的に接続されており、例えば、各種機器からの信号の入出力により、入賞などの抽選を行ったり、リールユニット１３の回転、停止を制御する機能を有している。
【００２９】
サブ制御ユニット１２は、メイン制御ユニット１１および各種機器と電気的に接続されており、例えば、メイン制御ユニット１１からの入力信号により、各種演出動作を決定して、液晶制御装置への制御信号を出力する機能を有している。
【００３０】
リールユニット１３は、電気的に接続されたメイン制御ユニット１１による制御によって独立して回転、停止する、複数の図柄がプリントされた３つのリール１３ａで構成されている。  
メダル払出装置１４は、遊技の進行に応じてメダルを貯留、排出する装置であり、溢れたメダルを貯留する補助タンク（図示省略）を備えている。  
電源制御装置１５は、外部から供給される電力を制御する機能と、上述した各部に電力を供給する装置である。
【００３１】
一方、前扉２０における利用者と対面する表面部分は、液晶モニタ２１、２つの上部スピーカー２２、表示窓２３、操作部２４、パネル部２５、２つの下部スピーカー２６、メダル排出口２７、および受け皿２８で構成しており、前扉２０の裏面部分には、メダルセレクター２９を配置している。
【００３２】
モニタ２１は、液晶制御装置が電気的に接続したサブ制御ユニット１２からの制御信号に基づいて、遊技に応じた画面情報を出力する。  
上部スピーカー２２は、メイン制御ユニット１１から出力された音声信号を出力する。
【００３３】
表示窓２３は、筐体本体１０に備えたリールユニット１３の一部分やクレジット枚数の表示などを視認可能な透明部分（図示省略）と、入賞ラインなどをプリントした不透明部分（図示省略）とを一体にして構成されている。
【００３４】
操作部２４は、メイン制御ユニット１１と電気的に接続するとともに、メダル投入口２４ａ、ＭＡＸＢＥＴボタン２４ｂ、投入精算ボタン２４ｃ、スタートレバー２４ｄ、および３つのストップボタン２４ｅで構成されている。
【００３５】
メダル投入口２４ａは、利用者によるメダルの投入を受け付ける投入口であり、投入されたメダルをメダルセレクター２９に案内する。  
ＭＡＸＢＥＴボタン２４ｂは、一回の遊技におけるメダルの最大賭け数を、獲得したメダル枚数をデータとして蓄積しているクレジットからセットすることを所望する利用者の操作を受け付けるボタンである。
【００３６】
投入精算ボタン２４ｃは、利用者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成されている。
【００３７】
スタートレバー２４ｄは、リールユニット１３を構成する３つのリール１３ａの回転開始を所望する利用者の操作を受け付けるレバーである。  
３つのストップボタン２４ｅは、リールユニット１３の３つのリール１３ａにそれぞれ対応しており、対応するリール１３ａの回転、停止を所望する利用者の操作を受け付けるボタンである。
【００３８】
パネル部２５は、スロットマシン１の機種名を示すイラストなどのパネルと、パネルを照明するバックライトなどで構成されている。  
下部スピーカー２６は、サブ制御ユニット１２から出力された音声信号を出力する。
【００３９】
メダル排出口２７は、前扉２０の裏面に配置したメダルセレクター２９やメダル払出装置１４から搬送されたメダルを受け皿２８に排出する排出口である。  
受け皿２８は、メダル排出口２７から排出されたメダルを貯留可能に構成されている。
【００４０】
メダルセレクター２９は、投入されたメダルを検出する機能と、メダルを選別する機能と、選別したメダルに応じて、メダル払出装置１４やメダル排出口２７に排出する機能とを有している。
【００４１】
このような構成のスロットマシン１は、利用者が一回の遊技における最大賭け数のメダルをメダル投入口２４ａに投入する、あるいはＭＡＸＢＥＴボタン２４ｂを押下操作して、一回の遊技におけるメダルの最大賭け数をクレジットからセットする。
【００４２】
そして、スロットマシン１は、利用者によるスタートレバー２４ｄの操作を検知すると、メイン制御ユニット１１が、入賞か否かの抽選を行い、この抽選結果をサブ制御ユニット１２に出力し、サブ制御ユニット１２が、抽選結果に基づいた各種演出を決定する。
【００４３】
その後、スロットマシン１は、メイン制御ユニット１１が３つのリール１３ａの回転を開始させるとともに、サブ制御ユニット１２が各種演出をモニタ２１に出力し、利用者が３つのストップボタン２４ｅを任意のタイミング、あるいは各種演出で指定された順番で押下することで、ストップボタン２４ｅに対応したリール１３ａが停止する。
【００４４】
リール１３ａにプリントされた図柄が揃えば、図柄に応じてメダルがクレジットに貯留される、あるいはメダル排出口２７から排出される。このようにして、利用者は、スロットマシン１における遊技を楽しむ。
【００４５】
なお、サブ制御ユニット１２は、メイン制御ユニット１１から送られた抽選結果に基づいて遊技が利用者にとって有利となる情報を提供する状態、いわゆる、ＡＴ（アシストタイム）に移行するか否かの抽選を行い、この抽選に当選すると、例えば、３つのストップボタン２４ｅを押下する順番をモニタ２１に表示する。そして、利用者がこの順番通りにストップボタン２４ｅを押下するとリール１３ａにプリントされた図柄が揃うことになる。
【００４６】
続いて、サブ制御ユニット１２の構成について、図３から図８を用いて説明する。  
図３は、図２に示したサブ制御ユニット１２単体での斜視図であり、図４は、図３に示すサブ制御ユニット１２の分解図である。図５は、図３の要部αで示す接着フランジ部３５の拡大平面図である。
【００４７】
図６は、図５に示す接着フランジ部３５の端面図であって、（ａ）はそのＡ−Ａ線に沿った図、（ｂ）はそのＢ−Ｂ線に沿った図、（ｃ）はそのＣ−Ｃ線に沿った図である。図７は、図４の要部βで示すベースフランジ４３の拡大斜視図である。図８は、図４の要部θで示すカバーフランジ４４の拡大斜視図である。
【００４８】
サブ制御ユニット１２は、図３，図４に示すように、平面視長方形の箱状に構成した制御基板ケース３０（特許請求の範囲の記載における遊技機用制御基板ケースに相当する）と、該制御基板ケース３０の内部の空間に収容した制御基板３１とから構成されている。
【００４９】
制御基板ケース３０は、ベース体３２（特許請求の範囲の記載における第１ケースに相当する）と、カバー体３３（特許請求の範囲の記載における第２ケースに相当する）とを組み付けて構成される。
【００５０】
また、制御基板ケース３０は、その内部に制御基板３１を収容する収容部３４を有し、ベース体３２とカバー体３３は、制御基板ケース３０の外周縁に設けられた接着フランジ部３５（特許請求の範囲の記載における接着保持部に相当する）によって強固に接着固定されている。
【００５１】
なお、本実施形態において、ベース体３２およびカバー体３３は、ＰＣ（ポリカーボネート）を射出成形して形成されているが、これに限定されず、例えば、ＡＢＳ（アクリロニトリル、ブタジエン、スチレン）等に代表される透明な熱可塑性合成樹脂系材料で構成してもよいし、例えば、光を透過する有色透明や半透明、または不透明などの合成樹脂系材料で構成してもよい。
【００５２】
ここで、平面視長方形の制御基板ケース３０において、ベース体３２とカバー体３３とを組み付ける方向を上下方向Ｈ（特許請求の範囲の記載における組み付け方向に相当する）とし、該上下方向Ｈにおいて、ベース体３２側を下方Ｈｄとし、カバー体３３側を上方Ｈｕとする。  
なお、図３および図４において、手前に位置する長辺側と短辺側を一方とし、奥に位置する長辺側と短辺側を他方とする。
【００５３】
制御基板３１は、図４に示すように、平面視略長方形に形成されたプリント基板であり、ＣＰＵ３６が配置された板状の第１基板３７と、この第１基板３７よりも小さく形成されるとともにＲＯＭ３８やＲＡＭ３９が配置された第２基板４０と、から構成されている。  
なお、第２基板４０は、四隅に備えた支柱４１によって、この第１基板３７の略中央上側に、第１基板３７と離間した状態で固定されている。
【００５４】
ＲＡＭ３９は、メイン制御ユニット１１から送られた抽選結果を一時的に記憶するものであり、ＲＯＭ３８は、上記ＡＴ抽選の抽選データやこのＡＴ抽選に用いられるプログラム等を格納したものである。  
ＣＰＵ３６は、ＲＡＭ３９やＲＯＭ３８の情報に応じた処理を行うものである。
【００５５】
接着フランジ部３５は、図３に示すように、制御基板ケース３０における一方の短辺と、一方の長辺と、他方の短辺とのそれぞれに１つずつ形成されるとともに、他方の長辺に２つ形成されている。
【００５６】
また、この接着フランジ部３５は、図６（ａ）〜（ｃ）に示すように、ベースフランジ４３と、カバーフランジ４４と、を接着剤４２で接着して構成している。これらベースフランジ４３およびカバーフランジ４４の詳細については後に説明をする。
【００５７】
なお、本実施形態において、接着剤４２は、所定の粘性を備えるとともに紫外線を照射することで硬化する液体タイプのものが採用されているが、これに限定されず、例えば、瞬間接着タイプのものを用いてもよく、例えば、粘性が高いジェル体などを用いてもよい。
【００５８】
また、接着フランジ部３５は、上述のように、制御基板ケース３０に複数形成されているが、それぞれ同様の構造となっているため、本実施形態においては、上記一方の短辺に形成された接着フランジ部３５についてのみ説明し、他の部位に形成された接着フランジ部３５については同一の符号を付すことで詳細な説明を省略している。
【００５９】
ベース体３２は、図４に示すように、制御基板３１を収容する収容構成部４６と、後述のカバーフランジ４４とともに接着フランジ部３５を構成するベースフランジ４３と、から大略構成されており、全体として上方Ｈｕが開放した箱状に形成されている。なお、図中の符号４５は、サブ制御ユニット１２をスロットマシン１の筐体本体１０に固定するための固定部である。
【００６０】
収容構成部４６は、平面視長方形状の底板４７と、この底板４７の外周縁から上方Ｈｕにほぼ垂直に突出したベース側側壁部４８と、から構成されている。  
底板４７は、サブ制御ユニット１２内の温度が上昇しないように換気可能に形成された複数の貫通孔４９と、該複数の貫通孔４９をまとめて囲む内部壁５０と、制御基板３１を下方Ｈｄから支持するリブ５１とを備えている。
【００６１】
ベース側側壁部４８は、底板４７の長手方向および短手方向に沿って連続しており、このベース側側壁部４８と底板４７とで囲むように収容構成空間３４ａが形成されている。なお、この収容構成空間３４ａは、ベース体３２とカバー体３３が組み合わさることで、後述するカバー体３３の側収容構成空間３４ｂとともに収容部３４を構成する。
【００６２】
さらに、ベース側側壁部４８の上端から外側（反収容構成空間３４ａ側）に向けてベースフランジ４３が突出形成されている。なお、図中の符号５２は、サブ基板ユニット１２の解体時に工具当て部として機能する切り込み部である。
【００６３】
ベースフランジ４３は、図６（ａ）〜（ｃ）および図７に示すように、ベース側側壁部４８の上端から外側（反収容構成空間３４ａ側）に向けてほぼ直角に突出した平面視長方形状のフランジ底板５３と、このフランジ底板５３の外周縁から上方Ｈｕにほぼ垂直に突出した縦壁５４と、から構成されており、全体として上方Ｈｕが開口した箱状に形成されている。
【００６４】
縦壁５４は、フランジ底板５３の長手方向および短手方向に沿って連続しており、この縦壁５４とフランジ底板５３とによって、ベースフランジ４３は、その上部に硬化前の接着剤４２を貯留可能になっている。換言すると、ベースフランジ４３は、その上部に、硬化前の接着剤４２を貯留可能な接着剤貯留部５５が形成されている。
【００６５】
また、縦壁５４は、平面視においてフランジ底板５３の周囲を包囲する四角枠状に形成されるとともに、縦壁５４のうち、収容構成空間３４ａ側の壁は、他の３つの壁よりも後述する連結部６１のカバーフランジ上壁６４の板厚Ｔ１相当分低く形成されている。（以下、上記縦壁５４のうち、収容構成空間３４ａ側の壁を低壁５４ａと称し、単に縦壁５４と記載する場合にあっては、低壁５４ａは含まないものとする。）
【００６６】
フランジ底板５３は、先に述べたように、その平面視において長方形状を呈している一方で、その長手方向の縦断面形状が、その長手方向に沿って凹部と凸部とが交互に連続したいわゆる波形状に形成されている。（図９参照）
【００６７】
より具体的には、フランジ底板５３は、その長手方向の両端に位置するフランジ底板一般部５３ａと当該フランジ底板一般部５３ａよりもフランジ底板５３の板厚相当分、一段高く形成されたフランジ底板上段部５３ｂによって形成されるとともに、このフランジ底板上段部５３ｂには、下方Ｈｄに向けてフランジ底板５３の板厚相当分窪んだフランジ底板凹溝５３ｃが形成されている。（図９参照）
【００６８】
このフランジ底板凹溝５３ｃは、図７に示すように、フランジ底板上段部５３ｂの短手方向に連続するとともに、フランジ底板上段部５３ｂの長手方向にほぼ等間隔で形成されている。（図９参照）
【００６９】
カバー体３３は、図４に示すように、制御基板３１を収容する収容構成部５６と、ベースフランジ４３とともに接着フランジ部３５を構成するカバーフランジ４４と、から大略構成されており、全体として下方Ｈｄが開放した箱状に形成されている。なお、図中の符号５７は、固定構成部４５を封止する固定構成蓋部である。
【００７０】
収容構成部５６は、平面視長方形状の天板５８と、この天板５８の外周縁から下方Ｈｄにほぼ垂直に突出したカバー側側壁部５９と、から構成されている。  
天板５８は、底板４７における貫通孔４９と制御基板３１を挟んで対向する位置に、複数の通気口６０を備えており、底板４７における内部壁５０と制御基板３１を挟んで対向する位置に不正器具侵入防止壁（図示外）を備えている。
【００７１】
カバー側側壁部５９は、天板５８の長手方向および短手方向に沿って連続することにより平面視四角枠状を呈しており、このカバー側側壁部５９と天板５８とで囲むように収容構成空間３４ｂが形成されている。なお、この収容構成空間３４ｂは、ベース体３２とカバー体３３が組み合わさることでカバー体３３側の収容構成空間３４ａとともに、収容部３４を構成する。
【００７２】
そして、カバー側側壁部５９の上端から外側（反収容構成空間３４ｂ側）に向けてカバーフランジ４４が突出形成されている。なお、カバー側側壁部５９とベース側側壁部４８は平面視において相似形を呈しており、カバー側側壁部５９の外周がベース側側壁部４８の内周よりも若干小さく形成されることにより、ベース体３２とカバー体３３との組み付け状態において、カバー側側壁部５９は、ベース側側壁部４８の内側に重なるように配置されることとなる。
【００７３】
カバーフランジ４４は、図８および図６（ａ）〜（ｃ）に示すように、短手方向の縦断面逆Ｕ字形状が長手方向で連続する連結部６１と、この連結部６１から外側（反収容構成空間３４ｂ側）に向けて突出した短手方向の縦断面矩形状が長手方向で変形する挿入接着部６２と、から構成され、全体として段付き板状に形成されている。
【００７４】
連結部６１は、互いに対向配置された一対のカバーフランジ側壁６３ａ，６３ｂと、これら両カバーフランジ側壁６３ａ，６３ｂ同士の間に介在し、両者を接続するカバーフランジ上壁６４と、から構成されており、ベース体３２とカバー体３３との組み付け状態においては、両カバーフランジ側壁６３ａ，６３ｂに挟まれるようにして低壁５４ａが配置されることとなる。
【００７５】
より具体的には、相対的に内側（収容構成空間３４ｂ側）に位置するカバーフランジ側壁６３ｂと、相対的に外側に位置するカバーフランジ側壁６３ａとの間は、低壁５４ａの板厚Ｔ２よりも大きな間隔Ｄを空けて形成されており、ベース体３２とカバー体３３との組み付け状態においては、特に図６の（ａ）〜（ｃ）に示すように、カバーフランジ側壁６３ａと低壁５１ａとの間に接着剤３３が流動可能な隙間Ｃ１が連続して確保されている。
【００７６】
また、カバーフランジ側壁６３ａのカバーフランジ上壁６４の下面からの長さＬ１は、低壁５４ａのフランジ底板５３からの突出長さＬ２よりも小さく形成されており、この関係は、特に図６（ａ）〜（ｃ）で示すように、接着フランジ部３５の長手方向で同じになっている。このため、ベース体３２とカバー体３３との組み付け状態においては、特に図６の（ａ）〜（ｃ）に示すように、後述の挿入接着部６２とフランジ底板５３との間に、接着剤３３が流動可能な隙間Ｃ２が連続して確保されている。
【００７７】
挿入接着部６２は、カバーフランジ側壁６３ａの下端部分が外側（反収容構成空間３４ｂ）にほぼ直角に突き出すように、当該カバーフランジ側壁６３ａの下端部分と一体となって形成されているとともに、図８に示すように、その平面視において長方形状を呈しており、その長辺の外側（反収容構成空間３４ｂ）に当該挿入接着部６２の長手方向に沿って所定間隔毎にカバーフランジ溝部６５（特許請求の範囲の記載における接着剤案内溝に相当する）が形成されている。（以下において、単に挿入接着部６２と記載する場合は、カバーフランジ側壁６３ａの下端部分を含むものとし、単にカバーフランジ側壁６３ａと記載する場合は、挿入接着部６２を含まないものとする。）
【００７８】
また、挿入接着部６２のうちカバーフランジ溝部６５が形成されていない部位は、図６（ａ）〜（ｃ）に示すように、ベース体３２とカバー体３３との組み付け状態において、縦壁５４との間に接着剤３３が流動可能な隙間Ｃ３が確保されている。なお、挿入接着部６２は、その上面６６が、外側（縦壁５４側）に向かって徐々に下方Ｈｄに傾斜している。
【００７９】
さらに、ベース体３２とカバー体３３の組み付け状態において、挿入接着部６２は、フランジ底板一般部５３ａに近接する挿入接着一般部６２ａと、当該挿入接着一般部６２ａよりもフランジ底板５３の板厚Ｔ３相当分、一段高く形成されることにより、フランジ底板上段部５３ｂに近接する挿入接着上段部６２ｂと、から構成されている。
【００８０】
なお、図６から明らかなように、挿入接着部６２は、接着剤貯留部５５よりも小さく形成されており、その全ての部位が接着剤貯留部５５に進入可能になっている。  
ここで、図８に示すように、挿入接着上段部６２ｂには、下方Ｈｄに向けてフランジ底板５３の板厚Ｔ３相当分突出した挿入接着凸部６７が形成されている。
【００８１】
この挿入接着凸部６７は、挿入接着上段部６２ｂの短手方向に連続するとともに、挿入接着上段部６２ｂの長手方向に一定間隔で形成されている。そして、当該挿入接着凸部６７の表面の形状は、フランジ底板凹溝５３ｃのそれとほぼ相似形を呈しているとともに、フランジ底板凹溝５３ｃよりも若干小さく形成されており、当該挿入接着凸部６７の根本６８は、カバーフランジ溝部６５に向かって緩やかに湾曲している。（図１０参照）
【００８２】
このように、挿入接着凸部６７の表面の形状は、フランジ底板凹溝５３ｃのそれとほぼ相似形を呈しているため、挿入接着部６２は、フランジ底板５３と、いわゆる波形状の隙間を空けて対向し、この波状の隙間で接着剤４２が硬化する。
【００８３】
このため、例えば、平面状で対向する場合よりも、挿入接着部６２とフランジ底板５３とが強固に固定される。また、カバーフランジ溝部６５に向かって緩やかに湾曲する根本６８は、硬化前の接着剤４２を円滑にカバーフランジ溝部６５に案内することとなる。
【００８４】
カバーフランジ溝部６５は、図５に示すように、平面視において内側（収容構成空間３４ｂ側）を頂部とする二等辺三角形状を呈しており、言い換えるならば、カバーフランジ溝部６５は、平面視において、その幅が外方向に向かって漸次拡大するように形成されており、図８に示すように、挿入接着上段部６２ｂの長手方向にほぼ均等な間隔で、複数当該カバーフランジ４４を上下方向Ｈに貫通して形成されている。
【００８５】
より具体的には、カバーフランジ溝部６５は、挿入接着上段部６２ｂにおいて、隣接する挿入接着凸部６７同士の間に、２つで一組となるようにそれぞれが近接するように形成されており、この一組となったカバーフランジ溝部６５が挿入接着上段部６２ｂの長手方向にほぼ均等な間隔で複数形成されている。
【００８６】
また、挿入接着部６２のうちカバーフランジ溝部６５が形成された部位は、図６（ａ）および図６（ｂ）に示すように、ベース体３２とカバー体３３との組み付け状態において、縦壁５４との間に、カバーフランジ側壁６３ａと低壁５１ａとの間の隙間である上述の隙間Ｃ１や、挿入接着部６２のうちカバーフランジ溝部６５が形成されていない部位と縦壁５４との間の隙間である上述の隙間Ｃ３よりも大きな隙間Ｃ４が確保されている。
【００８７】
以下、ベース体３２とカバー体３３の組み付け工程について、図９から図１２を用いて説明する。  
図９は、図５に示した接着フランジ部３５の接着工程を示す断面図であって、接着剤４２を貯留した状態のベースフランジ４３にカバーフランジ４４が近づいていく図である。図１０は、図９のカバーフランジ４４がベースフランジ４３に着座する直前の状態を示す断面図である。
【００８８】
図１１は、図１０のカバーフランジ４４およびベースフランジ４３の端面図であって、（ａ）は図１０のＡ−Ａ線に沿った図、（ｂ）は図１０のＢ−Ｂ線に沿った図、（ｃ）は図１０のＣ−Ｃ線に沿った図である。図１２は、図９のカバーフランジ４４がベースフランジ４３に着座した状態を示す図であって、図５のＤ−Ｄ線に沿った断面図である。
【００８９】
上述のように構成したベース体３２とカバー体３３とは、先ず制御基板３１を図示外のネジを用いてカバー体３３に組み付ける。  
続いて、ベース体３２に接着剤４２を貯留し、ベース体３２とカバー体３３とを組み付け、最後に、図示外の紫外線照射装置を用いて接着剤４２を硬化させる。
【００９０】
より具体的には、図９に示すように、接着剤貯留部５５に接着剤４２を貯留し、カバーフランジ４４をベースフランジ４３に向けて（下方Ｈｄに向けて）組み付けていく。そして、図１２に示すように、挿入接着部６２は、フランジ底板５３と上下方向Ｈで重なり合うとともに、低壁５４ａを含む縦壁５４と水平方向（上下方向Ｈに直交する方向）で重なり合い、これら重なり合った部位の隙間Ｃ１，Ｃ２，Ｃ３，Ｃ４で接着剤４２が硬化することとなる。
【００９１】
この場合において、図１０に示すように、カバーフランジ４４がベースフランジ４３に着座する直前の状態、すなわち、図１１（ａ）〜（ｃ）に示すベースフランジ４３側の低壁５４ａの頂部とカバーフランジ４４側の連結部６１の下面とが当接する直前の状態では、接着剤貯留部５５は、挿入接着部６２によって上下に画成され、接着剤４２は、挿入接着部６２に加圧されることとなる。
【００９２】
そして、加圧された接着剤４２は、低壁５４ａを含む縦壁５４と挿入接着部６２との対向部分の隙間（具体的には図６のＣ１，Ｃ３，Ｃ４で示す隙間）に流れることとなるが、主に縦壁５４と挿入接着部６２との間にあるカバーフランジ溝部６５によって上方Ｈｕに案内されて（図１１（ａ）参照）、挿入接着部６２の上面６６側に到達し（図１２参照）、先に述べた紫外線照射装置（図示外）によって硬化することとなる。
【００９３】
ここで、カバーフランジ溝部６５は、上述のように、挿入接着上段部６２ｂの長手方向にほぼ均等な間隔で複数形成されていることから、接着剤４２も挿入接着上段部６２ｂの長手方向にほぼ均等な間隔で接着剤貯留部５５の下方Ｈｄから上方Ｈｕに複数に分岐するようにして案内されていくこととなる。
【００９４】
さらに、カバーフランジ溝部６５は、先に述べたように、平面視において内側（収容構成空間３４ｂ側）を頂部とする二等辺三角形状を呈していることから、隣接するわずかな隙間Ｃ３（図５，図６参照）に適度に浸透して行くことになる。換言すると、カバーフランジ溝部６５は、上方Ｈｕへの接着剤案内効果に加えて、水平方向つまり横方向の案内効果も発揮することとなる。
【００９５】
また、挿入接着部６２の上面６６は、先に述べたように、外側（縦壁５４側）側に向かって徐々に下がるように傾斜している。このため、上面６６に到達した接着剤４２は、外側に溜まり易くなっており、硬化した状態においては、同じく外側に形成されたカバーフランジ溝部６５を十分な厚みをもって覆うこととなる。つまり、カバーフランジ溝部６５を比較的少量の接着剤４２で保護することができる。
【００９６】
以上のように説明した本実施形態にあっては、以下の効果を得られる。  
（１）制御基板ケース３０は、ベース体３２（第１ケース）のベースフランジ４３（第１ケース側の接着構成部）に、接着剤貯留部５５を形成するとともに、カバー体３３（第２ケース）のカバーフランジ４３（第２ケース側の接着構成部）に、接着剤貯留部５５に対して上方Ｈｕから挿入可能な挿入接着部６２を形成している。そして、挿入接着部６２は、水平方向で接着剤貯留部５５に対向する外側面に、硬化前の接着剤４２を上方Ｈｕに案内するカバーフランジ溝部６５（接着剤案内溝）を備えている。
【００９７】
このため、先に述べたように、ベース体３２とカバー体３３との組み付け時には、挿入接着部６２は、フランジ底板５３と上下方向Ｈで重なり合うとともに、縦壁５４と水平方向（上下方向Ｈつまり組み付け方向に交差する方向）で重なり合い、これら水平方向で重なり合った部位の上方Ｈｕに向けてカバーフランジ溝部６５が接着剤４２を案内する。
【００９８】
これにより、接着剤４２が円滑に上方Ｈｕへ案内され、挿入接着部６２は、水平方向と上下方向Ｈの２つの方向で接着剤貯留部５５と接着されることとなる。  
したがって、以上のように構成された制御基板ケース３０によれば、ベース体３２とカバー体３３とが強固に固定されて、制御基板３１への不正防止効果を向上させることができる。
【００９９】
（２）挿入接着部６２は、そのほぼ全ての部位が接着剤貯留部５５に進入可能に形成されているとともに、カバーフランジ溝部６５は、挿入接着部６２の上下方向Ｈに貫通して形成されている。
【０１００】
このため、先に述べたように、接着剤４２は、挿入接着部６２の上面６６側に到達し、硬化する。なお、カバーフランジ溝部６５が、挿入接着部６２の上下方向Ｈに貫通することにより、組み付け時に接着剤貯留部５５に混入する空気を外部に逃がし易くすることもできる。
【０１０１】
したがって、上記（２）の制御基板ケース３０は、接着剤貯留部５５の開口をほぼ完全に接着剤４２で閉塞させることが可能となり、制御基板３１への不正防止効果を向上させることができる。
【０１０２】
（３）挿入接着部６２は、その上面６６が、カバーフランジ溝部６５側に向かって下方Ｈｄに下がるように傾斜して形成されている。  
このため、先に述べたように、比較的少量の接着剤４２であっても、上面６６に到達した接着剤４２は、カバーフランジ溝部６５側に溜まり易くなり、このカバーフランジ溝部６５側に溜まった接着剤４２が硬化することでカバーフランジ溝部６５を保護できる。
【０１０３】
したがって、上記（３）の制御基板ケース３０は、カバーフランジ溝部６５を介した不正を未然に防止することができ、制御基板３１への不正防止効果を向上させることができる。
【０１０４】
（４）カバーフランジ溝部６５は、挿入接着部６２にほぼ等間隔で複数形成されている。  
このため、先に述べたように、接着剤４２もほぼ均等な間隔で複数に分岐して上方Ｈｕに案内されていくことになる。
【０１０５】
したがって、上記（４）の制御基板ケース３０は、ベース体３２とカバー体３３とをより強固に固定せることができ、制御基板３１への不正防止効果を向上させることができる。
【０１０６】
（５）上記接着剤案内溝は、その幅が外部に向かって漸次拡大するように形成されている。  
このため、先に述べたように、カバーフランジ溝部６５は、上方Ｈｕへの接着剤案内効果に加えて、水平方向つまり横方向の案内効果も発揮することとなる。  
したがって、上記（５）の制御基板ケース３０は、ベース体３２とカバー体３３とをより強固に固定せることができ、制御基板３１への不正防止効果を向上させることができる。
【０１０７】
（６）スロットマシン１は、上記（１）〜（５）に記載の制御基板ケース３０を備えている。  
このため、上記（６）のスロットマシン１は、制御基板３１への不正防止効果が向上した制御基板ケース３０を備えることができ、延いては、スロットマシン１に対する不正行為を防止することができる。
【符号の説明】
【０１０８】
１…スロットマシン（遊技機）
３０…制御基板ケース（遊技機用制御基板ケース）
３１…制御基板
３２…ベース体（第１ケース）
３３…カバー体（第２ケース）
３４…収容部
４２…接着剤
３５…接着フランジ部（接着保持部）
４３…ベースフランジ（第１ケース側の接着構成部）
４４…カバーフランジ（第２ケース側の接着構成部）
５５…接着剤貯留部
６２…挿入接着部
６５…カバーフランジ溝部（接着剤案内溝）
６６…上面（挿入接着部の上面）
Ｈ…上下方向（組み付け方向）
Ｈｕ…上方
【要約】
【課題】本発明は、第１ケースと第２ケースとを強固に接着し、不正防止効果を向上させることができる遊技機用制御基板ケースを提供する。
【解決手段】ベース体３２とカバー体３３とを上下に組み合わせて構成し、制御基板３１を収容する空間である収容部３４を内部に有する制御基板ケース３０であって、ベース体３２とカバー体３３に、収容部３４の外部に突出するとともに、接着して組み付け状態を保持する接着フランジ部３５を構成するベースフランジ４３とカバーフランジ４４を備え、ベースフランジ４３に、上下方向Ｈのうち上方Ｈｕが開口する凹状で、接着剤４２を貯留可能な接着剤貯留部５５を形成し、カバーフランジ４４に、接着剤貯留部５５に対して、上方Ｈｕから挿入可能な挿入接着部６２を形成し、挿入接着部６２に、硬化前の接着剤４２を上方Ｈｕに案内するカバーフランジ溝部６５を備えた。
【選択図】図４【図１】
0005784806.tif 000002
【図２】
0005784806.tif 000003
【図３】
0005784806.tif 000004
【図４】
0005784806.tif 000005
【図５】
0005784806.tif 000006
【図６】
0005784806.tif 000007
【図７】
0005784806.tif 000008
【図８】
0005784806.tif 000009
【図９】
0005784806.tif 000010
【図１０】
0005784806.tif 000011
【図１１】
0005784806.tif 000012
【図１２】
0005784806.tif 000013